(57)【要約】【課題】リサイクル性を向上し得る表示ユニットを提供する。【解決手段】テレビジョン装置１の筐体２に対して着脱可能にユニット化されると共に、筐体２に取り付けられたときにスクリーンパネル４に対する画像の表示に必要な表示用情報をインターフェイスボード１５を介して取得するインターフェイスボード２５と、インターフェイスボード２５を介して取得した表示用情報に基づいてスクリーンパネル４に対する画像の表示についての表示条件を設定してその表示条件に従って表示制御を実行する制御部とを備えている。【選択図】図２
2005283833.tif 000002
【特許請求の範囲】
【請求項１】
装置本体に対して着脱可能にユニット化されると共に、前記装置本体に取り付けられた
ときに表示部に対する画像の表示に必要な表示用情報を当該装置本体または当該表示部か
ら取得する情報取得部と、当該情報取得部によって取得された前記表示用情報に基づいて
前記表示部に対する前記画像の表示についての表示条件を設定して当該表示条件に従って
表示制御を実行する制御部とを備えている表示ユニット。
【請求項２】
前記表示部がスクリーンであって、当該スクリーンに前記画像を表示させるための投射
光を射出する光学エンジンで構成されている請求項１記載の表示ユニット。
【請求項３】
前記制御部は、前記スクリーンに対する前記画像の表示に必要な表示用情報が前記情報
取得部によって取得されたときに、前記表示制御として、前記表示条件で前記画像を表示
させるための前記投射光を前記光学エンジンから射出させる請求項２記載の表示ユニット
。
【請求項４】
前記情報取得部は、前記表示部の大きさについての情報、当該表示部の形状についての
情報、当該表示部の光学特性についての情報、前記投射光の射出位置から当該表示部に至
る光路長についての情報、および前記装置本体の光学系についての情報のうちの１つ以上
を前記表示用情報として取得し、
前記制御部は、前記１つ以上の情報に基づいて前記表示制御を実行する請求項１から３
のいずれかに記載の表示ユニット。
【請求項５】
前記情報伝達部は、機械的方式、電気的方式および光学的方式のいずれかの方式で前記
表示用情報を取得する請求項１から４のいずれかに記載の表示ユニット。
【請求項６】
請求項１から５のいずれかに記載の表示ユニットと、前記表示部とを備えている表示装
置。
【請求項７】
請求項１から５のいずれかに記載の表示ユニットと、前記表示部とを備えているテレビ
。
【発明の詳細な説明】
【技術分野】
【０００１】
本発明は、装置本体に取り付けられて表示制御を実行する表示ユニット、その表示ユニ
ットを備えた表示装置およびテレビに関するものである。
【背景技術】
【０００２】
この種の表示装置として、出願人は、特開２０００−１９９９２７号公報において、投
射光（投写光）を出力する投写機（光学エンジン）、投射光が結像される透過型スクリー
ン、並びに透過型スクリーンに向けて投射光を反射するミラーａおよびミラーｂを備えた
背面投写型表示装置（以下、単に「表示装置」ともいう）を開示している。この表示装置
では、投写機、透過型スクリーン、ミラーａおよびミラーｂが筐体に対してそれぞれ個別
に着脱可能にユニット化されて構成されているため、これらを容易に着脱することが可能
になっている。
【特許文献１】特開２０００−１９９９２７号公報（第３−５頁、第１図）
【発明の開示】
【発明が解決しようとする課題】
【０００３】
ところが、出願人の開示している従来の表示装置における投写機には、以下の改善すべ
き課題がある。すなわち、この投写機は、ユニット化されることによって筐体に対して容
易に着脱可能に構成されている。しかしながら、この種の投写機では、一般的に、投射光
が投射される領域の形状（アスペクト比等）、つまり画像が表示される領域の形状が予め
１つに設定されている。このため、例えば、縦長サイズで画像を表示する投写機を横長サ
イズの画像を表示すべき他の種類の表示装置に転用して用いるのは困難である。また、例
えば、互いに特性（光透過率等）が異なるスクリーンに画像を表示させる際には、煩雑な
輝度調整や色相調整を手動で行う必要があるため、スクリーンの特性が互いに異なる表示
装置相互間でこの投写機を転用して用いるのも困難である。したがって、例えば、表示装
置における投写機以外の部品が故障して使用不能となったときには、たとえ投写機が使用
可能であったとしても他の種類の表示装置に取り付けて再利用（リサイクル）するのが困
難なため、投写機も他の部品と共に廃棄されることがあり、この点が資源の有効利用の観
点から課題となっている。
【０００４】
本発明は、かかる改善すべき課題に鑑みてなされたものであり、リサイクル性を向上し
得る表示ユニットを提供することを主目的とする。また、その表示ユニットを備えた表示
装置およびテレビを提供することを他の主目的とする。
【課題を解決するための手段】
【０００５】
上記目的を達成すべく本発明に係る表示ユニットは、装置本体に対して着脱可能にユニ
ット化されると共に、前記装置本体に取り付けられたときに表示部に対する画像の表示に
必要な表示用情報を当該装置本体または当該表示部から取得する情報取得部と、当該情報
取得部によって取得された前記表示用情報に基づいて前記表示部に対する前記画像の表示
についての表示条件を設定して当該表示条件に従って表示制御を実行する制御部とを備え
ている。
【０００６】
この表示ユニットによれば、制御部が情報取得部によって取得された表示用情報に基づ
いて表示部に対する画像の表示についての表示条件を設定してその表示条件に従って表示
制御を実行することにより、表示ユニットを装置本体に固定した後に煩雑な輝度調整や色
相調整等を手動で行うことなく、例えば、表示部の大きさ、形状および特性に適した表示
条件で画像を確実に表示させることができる。このため、例えば、表示ユニット以外の部
品が故障したとしても、表示ユニットを同種のみならず他の種類の装置本体に取り付けて
容易にリサイクルすることができる。したがって、表示ユニットのリサイクル性を十分に
向上させることができるため、資源の有効利用を図ることができる。
【０００７】
また、本発明に係る表示ユニットは、前記表示部がスクリーンであって、当該スクリー
ンに前記画像を表示させるための投射光を射出する光学エンジンで構成されている。
【０００８】
この表示ユニットによれば、投射光を射出する光学エンジンで表示ユニットを構成した
ことにより、投射光を表示部に投射して画像を表示する表示装置やテレビ（テレビジョン
装置）などの各種の装置本体相互間で、光学エンジンを備えた表示ユニットを容易にリサ
イクルすることができる。
【０００９】
また、本発明に係る表示ユニットは、上記の表示ユニットにおいて、前記制御部は、前
記スクリーンに対する前記画像の表示に必要な表示用情報が前記情報取得部によって取得
されたときに、前記表示制御として、前記表示条件で前記画像を表示させるための前記投
射光を前記光学エンジンから射出させる。
【００１０】
この表示ユニットによれば、情報取得部によってスクリーンについての表示用情報が取
得されたときに制御部がその表示条件で画像を表示させるための投射光を光学エンジンか
ら射出させることにより、煩雑な輝度調整や色相調整等を手動で行うことなく、スクリー
ンの大きさ、形状および特性に適した表示条件で画像を確実に表示させることができる。
【００１１】
さらに、本発明に係る表示ユニットは、上記の表示ユニットにおいて、前記情報取得部
は、前記表示部の大きさについての情報、当該表示部の形状についての情報、当該表示部
の光学特性についての情報、前記投射光の射出位置から当該表示部に至る光路長について
の情報、および前記装置本体の光学系についての情報のうちの１つ以上を前記表示用情報
として取得し、前記制御部は、前記１つ以上の情報に基づいて前記表示制御を実行する。
【００１２】
この表示ユニットによれば、表示部の大きさについての情報、表示部の形状についての
情報、表示部の光学特性についての情報、投射光の射出位置から表示部に至る光路長につ
いての情報、および装置本体の光学系についての情報のうちの１つ以上に基づいて制御部
が表示制御を実行することにより、表示部に最適な表示条件を設定することができるため
、任意の種類の装置本体に表示ユニットを取り付けたとしても、見易い画像を確実に表示
することができる。
【００１３】
また、本発明に係る表示ユニットは、上記の表示ユニットにおいて、前記情報伝達部は
、機械的方式、電気的方式および光学的方式のいずれかの方式で前記表示用情報を取得す
る。
【００１４】
この表示ユニットによれば、情報伝達部が機械的方式、電気的方式および光学的方式の
いずれかの方式で表示用情報を取得することにより、表示用情報を確実に取得することが
できるため、表示部に最適な表示条件を確実に設定することができる。
【００１５】
また、本発明に係る表示装置は、上記の表示ユニットと、前記表示部とを備えている。
【００１６】
この表示装置によれば、上記の表示ユニットと表示部とを備えたことにより、例えば、
表示ユニット以外の構成要素が破損して使用不能となったとしても、表示ユニットを容易
にリサイクルできるため、資源の有効利用を図ることができる。また、表示ユニットが故
障したとしても他の表示ユニットに容易に交換することができるため、表示装置のメイン
テナンス性を十分に向上させることができる。
【００１７】
また、本発明に係るテレビは、上記の表示ユニットと、前記表示部とを備えている。
【００１８】
このテレビによれば、上記の表示ユニットと表示部とを備えたことにより、例えば、表
示部であるスクリーンが破損して使用不能となったとしても、表示ユニットを容易にリサ
イクルできるため、資源の有効利用を図ることができる。また、表示ユニットが故障した
としても他の表示ユニットに容易に交換することができるため、テレビのメインテナンス
性を十分に向上させることができる。
【発明を実施するための最良の形態】
【００１９】
以下、本発明に係る表示ユニット、表示装置およびテレビの最良の形態について、添付
図面を参照して説明する。最初に、テレビジョン装置１（本発明に係る表示装置およびテ
レビの一例）の構成について、添付図面を参照して説明する。図１に示すテレビジョン装
置１は、一例として、スクリーンパネルの背面側から投射光を投射することによって画像
を表示するテレビジョン装置であって、本発明における装置本体としての筐体２を備え、
この筐体２内には、図２に示すように、制御ユニット３、ミラー５および表示ユニット６
が収容されている。また、筐体２の前面開口部には、図１に示すように、スクリーンパネ
ル４が配設されている。
【００２０】
制御ユニット３は、図３に示すように、主制御部１１、チューナ１２、音声出力部１３
、ＲＯＭ１４およびインターフェイスボード１５を備えて構成されている。主制御部１１
は、チューナ１２から出力された画像信号Ｓｔをインターフェイスボード１５を介して表
示ユニット６に転送すると共に、チューナ１２から出力された音声信号Ｓｖを音声出力部
１３に転送する。また、主制御部１１は、図外のリモコンから操作信号が出力されたとき
には、その操作信号に従って表示ユニット６、チューナ１２および音声出力部１３を制御
する。チューナ１２は、リモコンの操作によって指定されたチャンネルのＴＶ放送波を図
外のアンテナを介して受信したＴＶ放送波から抽出して、画像信号Ｓｔおよび音声信号Ｓ
ｖを出力する。音声出力部１３は、例えばアンプおよびスピーカー（いずれも図示せず）
を備えて構成され、主制御部１１によって転送された音声信号Ｓｖを増幅して音声を出力
する。ＲＯＭ１４は、主制御部１１の動作プログラムを記憶する。また、ＲＯＭ１４は、
画像表示に必要な表示用データ（表示用情報）Ｄｄを記憶する。この場合、表示用データ
Ｄｄは、例えば、スクリーンパネル４の大きさについてのデータ（情報）、スクリーンパ
ネル４のアスペクト比（この場合、９：１６）についてのデータ（本発明における「表示
部の形状についての情報」の一例）、スクリーンパネル４の光透過率についてのデータ（
本発明における「表示部の光学特性についての情報」の一例）、および表示ユニット６に
おける投射光Ｌの射出位置からスクリーンパネル４に至る光路長についてのデータ等を含
んで構成されている。
【００２１】
インターフェイスボード１５は、図２に示すように、後述する表示ユニット６側のイン
ターフェイスボード２５にケーブル３１で接続されて、インターフェイスボード２５に対
して表示用データＤｄを出力する。スクリーンパネル４は、本発明における表示部に相当
し、背面側から投射された投射光Ｌを受光してテレビ画像Ｇ（図４参照）を表示する。こ
の場合、スクリーンパネル４は、例えば、アスペクト比が９：１６の横長の長方形に形成
されている。また、スクリーンパネル４は、一例として、投射光Ｌを略平行光に変換する
フレネルレンズと、平行光を拡大（拡散）光に変換するレンチキュラーレンズと、拡大光
を透過させると共にレンチキュラーレンズを保護する保護板として機能する樹脂板（いず
れも図示せず）とを備えて構成されている。ミラー５は、図２に示すように、筐体２の背
面側に配設されて、表示ユニット６から射出された投射光Ｌをスクリーンパネル４に向け
て反射する。
【００２２】
表示ユニット６は、図３に示すように、表示制御部２１、光学エンジン２２、ＲＯＭ２
３，２４およびインターフェイスボード２５を備え、これらが筐体２６（図２参照）内に
収容されてユニット化されている。また、表示ユニット６は、図２に示すように、例えば
、筐体２の底部に対して着脱可能に構成されている。表示制御部２１は、本発明における
制御部に相当し、制御ユニット３から出力された画像信号Ｓｔを入力して、例えば図４に
示すテレビ画像Ｇ（この場合、家、木および雲の画像）を表示させるための表示用画像信
号Ｓｅを生成して光学エンジン２２に出力する。この場合、表示制御部２１は、インター
フェイスボード２５を介して入力（取得）した表示用データＤｄに基づいてスクリーンパ
ネル４に対するテレビ画像Ｇの表示についての表示条件を設定すると共に、その表示条件
を満たすようにテレビ画像Ｇを表示するための投射光Ｌを光学エンジン２２から射出させ
る（本発明における表示制御に相当する）。具体的には、表示制御部２１は、スクリーン
パネル４の形状に合わせた９：１６のアスペクト比の横長の長方形の投射領域に投射光Ｌ
を投射させるように画像信号Ｓｔおよび表示用データＤｄに基づいて表示用画像信号Ｓｅ
を生成する。また、表示制御部２１は、スクリーンパネル４の大きさとほぼ同じ大きさの
投射領域に投射光Ｌが投射され、かつスクリーンパネル４に投射光Ｌが合焦するように表
示用データＤｄに基づいて光学エンジン２２における投射レンズのズーミングおよびフォ
ーカシングを制御する。また、表示制御部２１は、投射光Ｌが投射されたときのスクリー
ンパネル４の輝度が規定値となるように表示用データＤｄに基づいて光学エンジン２２の
光源の光量を制御する。
【００２３】
光学エンジン２２は、表示制御部２１から出力された表示用画像信号Ｓｅに基づいて変
調した投射光Ｌを投射する。具体的には、光学エンジン２２は、例えば、光源としてのＬ
ＥＤと、ＬＥＤから射出された光を投射光Ｌに変調する光変調素子（一例として、液晶パ
ネル、入射側偏光板および射出側偏光板を備えた液晶ライトバルブ）と、ズーミング機能
およびフォーカシング機能を有する投射レンズ（いずれも図示せず）とを備えて構成され
ている。ＲＯＭ２３は、表示制御部２１の動作プログラムを記憶する。ＲＯＭ２４は、例
えば、データの書き換えが可能なＥＰＲＯＭ等で構成されて、表示制御部２１によって生
成される表示条件を記憶する。インターフェイスボード２５は、表示制御部２１と相俟っ
て本発明における情報取得部に相当し、インターフェイスボード１５にケーブル３１で接
続されて、インターフェイスボード１５から表示用データＤｄおよび画像信号Ｓｔを入力
する。
【００２４】
次に、表示ユニット６を筐体２に取り付ける取付方法、およびテレビジョン装置１の全
体的な動作について、図面を参照して説明する。まず、図２に示すように、筐体２の底板
（同図に示す傾斜した部材）の所定位置に表示ユニット６を載置する。次に、表示ユニッ
ト６の筐体２６と筐体２の底板とを例えば固定用ねじで固定する。次いで、制御ユニット
３側のインターフェイスボード１５と表示ユニット６側のインターフェイスボード２５と
をケーブル３１で接続する。これにより、表示ユニット６の取り付けが完了する。
続いて、電源を投入して、筐体２の内部に配設されたリセットボタン（図示せず）を操作
する。この際に、光学エンジン２２に電源が供給されて光源が発光する。また、チューナ
１２が、例えば電源が直前に切断されたときに選局されていたチャンネルの画像信号Ｓｔ
および音声信号Ｓｖを出力する。一方、制御ユニット３の主制御部１１は、リセットボタ
ンの操作に応じてＲＯＭ１４から表示用データＤｄを読み出してインターフェイスボード
１５に出力すると共に、チューナ１２から出力された画像信号Ｓｔをインターフェイスボ
ード１５に転送する。また、主制御部１１は、チューナ１２から出力された音声信号Ｓｖ
を音声出力部１３に転送する。
【００２５】
次に、表示ユニット６のインターフェイスボード２５がインターフェイスボード１５お
よびケーブル３１を介して表示用データＤｄおよび画像信号Ｓｔを入力する。次いで、表
示制御部２１が、表示用データＤｄに基づいてスクリーンパネル４にテレビ画像Ｇを表示
する表示条件を設定してＲＯＭ２４に記憶させると共に、その表示条件を満たすようにテ
レビ画像Ｇを表示するための投射光Ｌを光学エンジン２２から射出させる表示制御を実行
する。この表示制御では、表示制御部２１は、画像信号Ｓｔおよび表示用データＤｄに基
づき、スクリーンパネル４の形状と同じアスペクト比（９：１６）の横長長方形の投射領
域に投射光Ｌを投射させる表示用画像信号Ｓｅを生成する。また、表示制御部２１は、表
示用データＤｄに基づき、スクリーンパネル４の大きさとほぼ同じ大きさの投射領域に投
射光Ｌが投射され、かつスクリーンパネル４に投射光Ｌが合焦するように、光学エンジン
２２における投射レンズのズーミングおよびフォーカシングを制御する。さらに、表示制
御部２１は、表示用データＤｄに基づき、スクリーンパネル４の輝度が規定値となるよう
に、光学エンジン２２の光源の光量を制御する。
【００２６】
続いて、光学エンジン２２の光源が、表示制御部２１の制御に従って所定の光量の光を
射出し、光変調素子が、表示制御部２１から出力された表示用画像信号Ｓｅに基づいて光
源からの光を光変調した投射光Ｌを射出する。この際に、投射レンズが表示制御部２１の
制御に従って投射光Ｌを拡大する。また、投射レンズによって拡大された投射光Ｌがミラ
ー５によって反射されてスクリーンパネル４に投射される。これにより、図４に示すよう
に、スクリーンパネル４のアスペクト比と同じアスペクト比のテレビ画像Ｇがスクリーン
パネル４のほぼ全域に規定値の明るさで表示される。また、音声出力部１３によって音声
信号Ｓｖに基づく音声が出力される。この場合、表示ユニット６を筐体２に固定してイン
ターフェイスボード１５，２５をケーブル３１で接続するだけで、表示制御部２１が表示
用データＤｄを取得して表示制御を実行する。したがって、表示ユニット６を筐体２に取
り付けた後においては、テレビ画像Ｇの表示サイズや、テレビ画像Ｇの輝度等の手動調整
を省略できるため、表示ユニット６の取付作業を短時間で、しかも容易に行うことができ
る。
【００２７】
次に、例えば、スクリーンパネル４が破損してテレビジョン装置１が使用不能となった
ときに表示ユニット６を再利用（リサイクル）して図５に示すテレビジョン装置１Ａを構
成する方法、およびテレビジョン装置１Ａの全体的な動作について、図面を参照して説明
する。なお、以下の説明において、テレビジョン装置１と共通する構成要素については同
一の符号を用いて重複した説明を省略する。この場合、テレビジョン装置１Ａは、同図に
示すように、テレビジョン装置１のスクリーンパネル４よりも小形で、かつアスペクト比
が３：４の横長の長方形に形成されたスクリーンパネル４Ａを備えている。このテレビジ
ョン装置１Ａを構成する際には、まず、表示ユニット６をテレビジョン装置１の筐体２か
ら取り外した後に、テレビジョン装置１における取付方法と同様にして、テレビジョン装
置１Ａの筐体２Ａに表示ユニット６を取り付ける。次に、インターフェイスボード１５，
２５をケーブル３１で接続する。これにより、表示ユニット６の取り付けが完了する。次
に、電源を投入して、筐体２Ａの内部に配設されたリセットボタン（図示せず）を操作す
る。これに応じて、制御ユニット３の主制御部１１が、表示用データＤｄおよび画像信号
Ｓｔをインターフェイスボード１５に転送する。
【００２８】
次いで、表示ユニット６の表示制御部２１が、画像信号Ｓｔおよび表示用データＤｄに
基づいて光学エンジン２２からの投射光Ｌの表示制御を実行する。この場合、表示制御部
２１は、画像信号Ｓｔおよび表示用データＤｄに基づき、スクリーンパネル４Ａの形状と
同じアスペクト比（３：４）の横長長方形の投射領域に投射光Ｌを投射させる表示用画像
信号Ｓｅを生成する。また、表示制御部２１は、表示用データＤｄに基づき、スクリーン
パネル４Ａの大きさとほぼ同じ大きさの投射領域に投射光Ｌが投射され、かつスクリーン
パネル４Ａに投射光Ｌが合焦するように光学エンジン２２における投射レンズのズーミン
グおよびフォーカシングを制御する。さらに、表示制御部２１は、表示用データＤｄに基
づき、スクリーンパネル４Ａの輝度が規定値となるように光学エンジン２２の光源の光量
を制御する。
【００２９】
続いて、光学エンジン２２の光源が、表示制御部２１の制御に従って所定の光量の光を
射出し、光変調素子が、表示用画像信号Ｓｅに基づいて光変調した投射光Ｌを射出する。
この際に、投射レンズが表示制御部２１の制御に従って投射光Ｌを拡大し、拡大された投
射光Ｌがミラー５によって反射されてスクリーンパネル４Ａに投射される。これにより、
図５に示すように、スクリーンパネル４Ａのアスペクト比と同じアスペクト比のテレビ画
像Ｇがスクリーンパネル４Ａのほぼ全域に規定値の明るさで表示される。この場合、表示
ユニット６を筐体２Ａに固定してインターフェイスボード１５，２５をケーブル３１で接
続してリセット操作するだけで、表示ユニット６の表示制御部２１が表示用データＤｄを
取得して表示制御を実行する。したがって、表示ユニット６を筐体２Ａに取り付けた後に
おいては、テレビ画像Ｇの表示サイズや、テレビ画像Ｇの輝度等の手動調整を省略できる
ため、表示ユニット６の取付作業を短時間で、しかも容易に行うことができる。
【００３０】
このように、この表示ユニット６およびテレビジョン装置１，１Ａによれば、表示制御
部２１が表示用データＤｄに基づいてテレビ画像Ｇの表示についての表示条件を設定して
その表示条件に従って表示制御を実行することにより、表示ユニット６を筐体２，２Ａに
固定した後に煩雑な輝度調整や色相調整等を手動で行うことなく、例えば、スクリーンパ
ネル４，４Ａの大きさ、形状および光学特性に最適な表示条件でテレビ画像Ｇを確実に表
示させることができる。このため、例えば、スクリーンパネル４，４Ａ等の表示ユニット
６以外の部品が故障したときには、表示ユニット６を同種のみならず他の種類の装置本体
（この場合、他のテレビジョン装置の筐体）に取り付けて容易にリサイクルすることがで
きる。したがって、表示ユニット６のリサイクル性を十分に向上させることができるため
、資源の有効利用を図ることができる。また、表示ユニット６が故障したとしても、他の
表示ユニット６に容易に交換することができるため、テレビジョン装置１，１Ａのメイン
テナンス性を十分に向上させることができる。
【００３１】
また、表示制御部２１が、スクリーンパネル４，４Ａの大きさ、形状および光学特性に
ついてのデータ、並びに投射光Ｌの射出位置からスクリーンパネル４，４Ａに至る光路長
についてのデータに基づいて表示制御を実行することにより、スクリーンパネル４，４Ａ
の大きさ、形状および光学特性、並びに投射光Ｌの射出位置からスクリーンパネル４，４
Ａに至る光路長に応じた最適な表示条件を設定することができるため、任意の種類のテレ
ビジョン装置に表示ユニット６を取り付けたとしても、十分に見易いテレビ画像Ｇを表示
することができる。
【００３２】
また、インターフェイスボード１５，２５がケーブル３１で電気的に接続されて、イン
ターフェイスボード１５が表示用データＤｄを電気的に（電気的方式で）入力（取得）す
ることにより、表示用データＤｄを確実に取得することができるため、表示対象のスクリ
ーンパネル４，４Ａに合致する最適な表示条件でテレビ画像Ｇを確実に表示することがで
きる。
【００３３】
なお、本発明は上記の構成に限定されない。例えば、表示ユニット６を備えたテレビジ
ョン装置１を例に挙げて説明したが、図６に示すパチンコ台１０１（本発明に係る表示装
置の他の一例）に本発明を適用することもできる。なお、パチンコ台１０１および後述す
るテレビジョン装置１Ｂでは、テレビジョン装置１，１Ａと同様にして、基本的に本発明
が適用されている。したがって、テレビジョン装置１，１Ａと共通する構成要素について
は、同一の符号を用いて重複する説明を省略する。このパチンコ台１０１は、同図に示す
ように、複数の釘１１２，１１２・・が植設されて光透過性を有する遊技盤１１１が筐体
１０２の前面側に配設されると共に、遊技盤１１１の背面側にスクリーンパネル１０４が
配設されて、スクリーンパネル１０４の背面側から投射光Ｌを投射することによって遊技
状態の変化に連動した各種の画像を表示可能に構成されている。このパチンコ台１０１に
おいても、表示ユニット６を筐体１０２に固定してインターフェイスボード１５，２５を
ケーブル３１で接続してリセット操作するだけで、表示制御部２１が表示用データＤｄを
取得して表示制御を実行するため、テレビジョン装置１，１Ａと同様にして、表示ユニッ
ト６の取付作業を短時間で、しかも容易に行うことができる。したがって、例えば、新台
入れ替え等によってこのパチンコ台１０１が不要となったとしても、表示ユニット６を他
の種類のパチンコ台に取り付けて容易にリサイクルすることができるため、表示ユニット
６のリサイクル性を十分に向上させることができる。
【００３４】
この場合、パチンコ台に限定されず、スロットマシンやピンボールマシン等の各種のゲ
ーム機に本発明を適用することもできる。したがって、パチンコ台相互間での表示ユニッ
ト６のリサイクルに限定されず、互いに種類の異なる各種のゲーム機相互間で表示ユニッ
ト６をリサイクルすることもできるし、テレビジョン装置とこれらのゲーム機との間で表
示ユニット６をリサイクルすることもできる。また、本発明に係る表示装置には、テレビ
ジョン装置に限定されず、ナビゲーションシステム用の表示装置等も含まれる。したがっ
て、このナビゲーションシステム用の表示装置、テレビジョン装置およびゲーム機の間で
表示ユニット６をリサイクルすることもできる。
【００３５】
また、スクリーンパネル４の大きさ、形状および光学特性についてのデータ、並びに投
射光Ｌの射出位置からスクリーンパネル４に至る光路長についてのデータを含む表示用デ
ータＤｄを例に挙げて説明したが、表示用データＤｄに含ませるデータの種類はこれに限
定されない。例えば、装置本体に配設されているミラー（上記の例ではミラー５）の数に
ついてのデータ（本発明における「装置本体の光学系についての情報」の一例）を表示用
データＤｄに含ませることにより、ミラーの数の違いによる画像の上下反転や左右反転を
防止することができる。また、ミラーやスクリーンパネルの傾斜角度についてのデータを
表示用データＤｄに含ませることにより、画像の台形補正を自動で行わせることができる
。さらに、スクリーンパネルの種類（反射型か透過型か）を特定するデータを含ませるこ
とによってリアプロジェクション方式およびフロントプロジェクション方式のうちの任意
の方式で画像を表示させることができる。このため、例えば、表示ユニット６を玩具に取
り付けて再利用することにより、壁（本発明における表示部に相当する）に向けて投射光
Ｌを投射してフロントプロジェクション方式で画像を表示することもできる。
【００３６】
また、光学エンジン２２を備えた表示ユニット６を例に挙げて説明したが、例えばレー
ザー投影方式で画像を表示するレーザー投影装置を備えて表示ユニットを構成することも
できる。さらに、表示部としてのスクリーンパネル４，４Ａ，１０４に画像を表示する例
について上記したが、本発明における表示部には、液晶パネル、プラズマディスプレイお
よびＣＲＴなどの各種の表示手段が含まれる。また、表示用データＤｄを電気的に入力（
取得）するインターフェイスボード２５を例に挙げて説明したが、表示用データＤｄの取
得方法はこれに限定されず、例えば、表示用データに対応する凹凸パターンで形成された
コネクタを装置本体に取り付けて、表示ユニット６の情報取得部をコネクタに嵌め合わせ
る方式（本発明における機械的方式の一例）でその凹凸パターンに対応する表示用データ
を取得する方法を採用することもできる。この場合、本発明における表示部としてのスク
リーンパネル４にそのコネクタを配設して、表示ユニット６の情報取得部をそのコネクタ
に嵌め合わせることもできる。また、赤外線方式（本発明における光学的方式の一例）で
表示用データＤｄを取得する方法や、装置本体に配設したバーコードを光学的に読み取っ
て（本発明における光学的方式の他の一例）表示用データＤｄを取得する方法を採用する
こともできる。
【００３７】
また、図７に示すように、テレビジョン装置１の表示ユニット６に代えて光学エンジン
４１を備えると共に、制御ユニット３に代えて制御ユニット３Ａを備えたテレビジョン装
置１Ｂ（本発明に係るテレビの他の一例）に本発明を適用することもできる。この場合、
制御ユニット３Ａは、同図に示すように、主制御部１１、チューナ１２、音声出力部１３
、ＲＯＭ１４、インターフェイスボード１５、映像制御部１６および光学系制御部１７を
備えている。映像制御部１６は、画像信号Ｓｔを入力して、テレビ画像Ｇを表示させるた
めの表示用画像信号Ｓｅを出力する。光学系制御部１７は、後述する光学エンジン４１の
光源部４２の光量を制御する制御信号Ｓｃを出力する。一方、光学エンジン４１は、本発
明における表示ユニットに相当し、同図に示すように、例えばＬＥＤで構成された光源部
４２、光変調素子４３、ズーミング機能およびフォーカシング機能を有する投射レンズ４
４、およびインターフェイスボード４５を備えている。この場合、インターフェイスボー
ド４５は、本発明における情報取得部および制御部に相当し、制御ユニット３Ａ側のイン
ターフェイスボード１５にケーブル３１で接続されて、インターフェイスボード１５から
表示用データＤｄ、表示用画像信号Ｓｅおよび制御信号Ｓｃを入力（取得）する。また、
インターフェイスボード４５は、表示用データＤｄに基づいて表示条件を設定すると共に
、その表示条件でテレビ画像Ｇを表示可能な投射光Ｌを射出するように光源部４２、光変
調素子４３および投射レンズ４４に対する制御（本発明における表示制御に相当する）を
実行する。
【００３８】
このテレビジョン装置１Ｂでは、光学エンジン４１を筐体２に固定してインターフェイ
スボード１５，４５をケーブル３１で接続してリセット操作するだけで、光学エンジン４
１のインターフェイスボード４５が、表示用データＤｄを取得して表示条件を設定すると
共に、その表示条件でテレビ画像Ｇを表示するための投射光Ｌを射出するように光源部４
２、光変調素子４３および投射レンズ４４に対する制御を実行する。このため、このテレ
ビジョン装置１Ｂにおいても、光学エンジン４１の取付作業を短時間で、しかも容易に行
うことができる。したがって、光学エンジン４１を同種のみならず他の種類の装置本体に
取り付けて容易にリサイクルすることができるため、光学エンジン４１のリサイクル性を
十分に向上させることができる結果、資源の有効利用を図ることができる。また、光学エ
ンジン４１が故障したとしても、他の光学エンジン４１に容易に交換することができるた
め、テレビジョン装置１Ｂのメインテナンス性を十分に向上させることができる。
【図面の簡単な説明】
【００３９】
【図１】テレビジョン装置１の斜視図である。
【図２】テレビジョン装置１の側面断面図である。
【図３】テレビジョン装置１の構成を示すブロック図である。
【図４】テレビジョン装置１の正面図である。
【図５】テレビジョン装置１Ａの正面図である。
【図６】パチンコ台１０１の側面断面図である。
【図７】テレビジョン装置１Ｂの構成を示すブロック図である。
【符号の説明】
【００４０】
１，１Ａ，１Ｂ  テレビジョン装置、２，２Ａ，１０２  筐体、４，４Ａ，１０４  ス
クリーンパネル、６  表示ユニット、２１  表示制御部、２２，４１  光学エンジン、２
５，４５  インターフェイスボード、１０１  パチンコ台、Ｄｄ  表示用データ、Ｇ  テ
レビ画像、Ｌ  投射光
【図１】
2005283833.tif 000003
【図２】
2005283833.tif 000004
【図３】
2005283833.tif 000005
【図４】
2005283833.tif 000006
【図５】
2005283833.tif 000007
【図６】
2005283833.tif 000008
【図７】
2005283833.tif 000009